(57)【特許請求の範囲】
【請求項１】
ＬＥＤまたはバックライトを点灯させる点灯手段と、文字やアイコン等を表示する表示手段と、ＬＥＤまたはバックライトの点灯色あるいは表示手段による表示色を切り換える切換手段と、この切換手段を起動制御する制御手段と、基地局から受信した報知情報の中で特定のデータ内容を受信したときの表示方法の設定内容を記憶する記憶手段とを備え、
前記制御手段は、基地局から前記特定のデータ内容である伝送速度データを受信したとき、前記切換手段を制御し、前記記憶手段に記憶された表示方法に基づいてＬＥＤまたはバックライトの点灯色、あるいは文字やアイコンの表示色を前記伝送速度データに対応した色に変更することを特徴とする移動体通信端末装置。
【請求項２】
ＬＥＤまたはバックライトを点灯させる点灯手段と、音を出力する音発生手段と、これら点灯手段または音発生手段を起動制御する制御手段と、基地局から受信した報知情報の中で特定のデータ内容を受信したときの表示方法及び音の鳴動方法の設定内容を記憶する記憶手段とを備え、
前記制御手段は、受信した前記特定のデータ内容が、新しく受信した基地局が前に受信していた基地局と同一の一斉呼び出しエリアの基地局であることを示すデータである場合には、前記記憶手段に記憶された鳴動方法に基づいて音を鳴動させ、受信した前記特定のデータ内容が、新しく受信した基地局が前に受信していた基地局とは別の一斉呼び出しエリアの基地局であることを示すデータである場合には、前記記憶手段に記憶された表示方法に基づいてＬＥＤまたはバックライトを点灯することを特徴とする移動体通信端末装置。
【請求項３】
文字やアイコン等を表示する表示手段と、この表示手段による表示色を切り換える切換手段と、この切換手段による色の切り換えを制御する制御手段と、基地局から受信した報知情報の中で特定のデータ内容を受信したときの表示方法の設定内容を記憶する記憶手段とを備え、
前記制御手段は、基地局から前記特定のデータ内容である基地局番号データまたは通信中の通信チャンネルデータを受信したとき、前記切換手段を制御し、前記記憶手段に記憶された表示方法に基づいて前記表示手段に表示されている文字やアイコン等の表示色を、前記基地局番号データまたは通信チャンネルデータに対応した色に変更することを特徴とする移動体通信端末装置。
【請求項４】
文字等を表示する表示手段と、この表示手段の表示を切り換える切換手段と、この切換手段の切り換えを制御する制御手段と、基地局から受信した報知情報の中で特定のデータ内容を受信したときの表示方法の設定内容を記憶する記憶手段とを備え、
前記制御手段は、基地局から前記特定のデータ内容である通信中のスロット番号を受信したとき、前記切換手段を制御し、前記記憶手段に記憶された表示方法に基づいて前記表示手段に通信中のスロット番号を表示させることを特徴とする移動体通信端末装置。
【発明の詳細な説明】
【０００１】
【発明の属する技術分野】
本発明は、基地局の種類や状態を表示や音によってユーザに通知する移動体通信端末装置に関する。
【０００２】
【従来の技術】
近時、複数の通信回線に接続する基地局と、この基地局に無線回線を介して接続する圏内の複数の携帯無線電話機（移動体通信端末装置）とからなる携帯無線電話システムが普及している。
【０００３】
この携帯無線電話システムにおいて、任意の基地局で複数の電話回線のすべてが使用中である場合、従来は、圏内の複数の携帯無線電話機に対して、複数の通信回線のすべてが使用中であることを示す制御信号を送出し、通信中でない他の携帯無線電話機に発信が不可能であることを知らせるようになっている（例えば、８−２４６０３５号公報参照）。
【０００４】
このように、基地局が発信不可能状態であることを圏内の携帯無線電話機に知らせる工夫は従来から行われている。
【０００５】
【発明が解決しようとする課題】
しかしながら、従来の携帯無線電話機は、送受信を行う基地局がどのようなサービスに対応している基地局であるのかを使用者に知らせる機能を持っていないため、その基地局がどのようなサービスに対応しているのかを使用者が知るためには、実際に希望するサービスを行ってみないと分からないといった問題があった。つまり、使用者の希望するサービスに対応している基地局を探すのが大変であるといった問題があった。
【０００６】
また、携帯無線電話システムにおいては、使用者が携帯無線電話機をかけたまま移動した場合、交換機側では、各基地局の受信電波のレベルを判断して、移動先の基地局に自動的に切り換えるようになっている。この切り換えは、携帯無線電話機の使用者が全く気づかないうちに行われる。従って、受信中の基地局が使用者の希望するサービスを行っていないため、受信する基地局を変えようとして使用者が移動しても、受信する基地局が本当に変わったのかどうかは、使用者が希望するサービスを再度行ってみないと分からないといった問題があった。
【０００７】
本発明はかかる問題点を解決すべく創案されたもので、その目的は、受信している基地局がいつ変わったのか、その変わった基地局がどのようなサービスに対応しているのかを、表示や音で使用者に知らせるようにした移動体通信端末装置を提供することにある。
【０００８】
【課題を解決するための手段】
上記課題を解決するため、本発明の移動体通信端末装置によれば、ＬＥＤまたはバックライトを点灯させる点灯手段と、この点灯手段を起動制御する制御手段と、基地局から受信した報知情報の中で特定のデータ内容を受信したときの表示方法の設定内容を記憶する記憶手段とを備え、前記制御手段は、基地局から前記特定のデータ内容を受信したとき、前記点灯手段を制御し、前記記憶手段に記憶された表示方法に基づいてＬＥＤまたはバックライトを点灯させるように構成してもよい。
【０００９】
このような構成とすれば、基地局から特定のデータ内容（例えば、伝送速度のデータ）を受信したとき、点灯手段を制御して、記憶手段に記憶された表示方法に基づいて、その伝送速度データに対応するようにＬＥＤまたはバックライトを点灯させることができる。これにより、その基地局の伝送速度を知ることができる。
【００１０】
また、本発明の移動体通信端末装置は、ＬＥＤまたはバックライトを点灯させる点灯手段と、文字やアイコン等を表示する表示手段と、ＬＥＤまたはバックライトの点灯色あるいは表示手段による表示色を切り換える切換手段と、この切換手段を起動制御する制御手段と、基地局から受信した報知情報の中で特定のデータ内容を受信したときの表示方法の設定内容を記憶する記憶手段とを備え、前記制御手段は、基地局から前記特定のデータ内容である伝送速度データを受信したとき、前記切換手段を制御し、前記記憶手段に記憶された表示方法に基づいてＬＥＤまたはバックライトの点灯色、あるいは文字やアイコンの表示色を前記伝送速度データに対応した色に変更することを特徴とする。
【００１１】
このような特徴を有する本発明によれば、基地局から特定のデータ内容（伝送速度データ）を受信したとき、切換手段を制御して、記憶手段に記憶された表示方法に基づいて、その伝送速度データに対応するようにＬＥＤまたはバックライトの点灯色を変更させる。例えば、伝送速度が３２ｋｂｉｔ／秒（３２Ｋデータ通信が可能）である場合には、バックライトの色を黄色に設定し、伝送速度が６４ｋｂｉｔ／秒（６４Ｋデータ通信が可能）である場合には、バックライトの色を緑色に設定し、伝送速度が１２８ｋｂｉｔ／秒（１２８Ｋデータ通信が可能）である場合には、バックライトの色を青色に設定する。従って、このバックライトの色を見ることで、移動体通信端末装置の使用者は、通信中の基地局の通信能力を知ることができる。
【００１２】
また、本発明の移動体通信端末装置は、文字等を表示する表示手段と、この表示手段の表示を切り換える切換手段と、この切換手段の切り換えを制御する制御手段と、基地局から受信した報知情報の中で特定のデータ内容を受信したときの表示方法の設定内容を記憶する記憶手段とを備え、前記制御手段は、基地局から前記特定のデータ内容である通信中のスロット番号を受信したとき、前記切換手段を制御し、前記記憶手段に記憶された表示方法に基づいて前記表示手段に通信中のスロット番号を表示させることを特徴とする。
【００１３】
このような特徴を有する本発明によれば、基地局から特定のデータ内容（通信中のスロット番号を示すデータ）を受信したとき、切換手段を制御して、記憶手段に記憶された表示方法に基づいて、そのスロット番号の数字を表示手段に表示させる。これにより、移動体通信端末装置の使用者は、通信中のスロット番号が変化したことを知ることができる。
【００１４】
また、本発明の移動体通信端末装置は、文字やアイコン等を表示する表示手段と、この表示手段による表示色を切り換える切換手段と、この切換手段による色の切り換えを制御する制御手段と、基地局から受信した報知情報の中で特定のデータ内容を受信したときの表示方法の設定内容を記憶する記憶手段とを備え、前記制御手段は、基地局から前記特定のデータ内容である基地局番号データまたは通信中の通信チャンネルデータを受信したとき、前記切換手段を制御し、前記記憶手段に記憶された表示方法に基づいて前記表示手段に表示されている文字やアイコン等の表示色を、前記基地局番号データまたは通信チャンネルデータに対応した色に変更することを特徴とする。
【００１５】
このような特徴を有する本発明によれば、基地局から特定のデータ内容（移動体通信端末装置の通信中の通信チャンネルのデータ）を受信したとき、切換手段を制御して、記憶手段に記憶された表示方法に基づいて、その通信チャンネルデータに対応するように表示手段の表示色を切り換える。例えば、通信チャンネルが偶数である場合には、表示手段に表示されている「通話中」の文字を赤色に設定し、通信チャンネルが奇数である場合には、表示されている「通話中」の文字を青に設定する。これにより、移動体通信端末装置の使用者は、通信中の通信チャンネルが偶数チャンネルであるのか、奇数チャンネルであるのかを知ることができる。
【００１６】
また、本発明の移動体通信端末装置は、ＬＥＤまたはバックライトを点灯させる点灯手段と、音を出力する音発生手段と、これら点灯手段または音発生手段を起動制御する制御手段と、基地局から受信した報知情報の中で特定のデータ内容を受信したときの表示方法及び音の鳴動方法の設定内容を記憶する記憶手段とを備え、前記制御手段は、受信した前記特定のデータ内容が、新しく受信した基地局が前に受信していた基地局と同一の一斉呼び出しエリアの基地局であることを示すデータである場合には、前記記憶手段に記憶された鳴動方法に基づいて音を鳴動させ、受信した前記特定のデータ内容が、新しく受信した基地局が前に受信していた基地局とは別の一斉呼び出しエリアの基地局であることを示すデータである場合には、前記記憶手段に記憶された表示方法に基づいてＬＥＤまたはバックライトを点灯することを特徴とする。
【００１７】
このような特徴を有する本発明によれば、基地局から特定のデータ内容（通信している基地局の一斉呼び出しエリアのデータ）を受信したとき、音発生手段を制御して、記憶手段に記憶された鳴動方法に基づいて、その一斉呼び出しエリアのデータに対応するように音を鳴動させる。例えば、移動体通信端末装置が新しく受信した基地局が前に受信していた基地局と同一の一斉呼び出しエリアである場合には、一斉呼び出しエリア内の移動であるので何もせず、移動体通信端末装置が新しく受信した基地局が前に受信していた基地局と別の一斉呼び出しエリアである場合には、一斉呼び出しエリア間の移動であるので、５秒間、ピー、ピーと鳴動させる。これにより、移動体通信端末装置の使用者は、移動体通信端末装置で通話中に、移動したことによって一斉呼び出しエリアが変わったことを知ることができる。
【００１８】
【発明の実施の形態】
以下、本発明の実施の形態について、図面を参照して説明する。
【００１９】
図１は、本発明の移動体通信端末装置１の内部構成を示すブロック図である。
【００２０】
この装置１は携帯無線電話機（以下、単に携帯電話機という）を示しており、無線電波を送受信するアンテナ２および無線部３、ダイヤル操作やオンフック、オフフック等の各種キー操作を入力する操作入力部４、基地局の種類や状態を使用者に通知する通知方法等の各種設定内容を記憶する記憶部５、携帯電話機１の全体を制御する制御部６、受信レベルやダイヤル番号等を表示したり、基地局の種類や状態を表示するための表示部７、表示部７の背景色を点灯するためのバックライト１０、基地局の種類や状態を色で表示するためのＬＥＤ１１、着信があったときに各種リンガーを鳴らしたり、使用者が要求している特定の種類や状態の基地局を受信したときなどに使用者に通知するための通知音などを鳴らすためのスピーカ８およびリンガー回路９によって構成されている。
【００２１】
次に、上記構成の携帯電話機１において、基地局の種類や状態に応じて種々の表示を行う実施例について、それぞれ以下に説明する。
【００２２】
【実施例１】
まず、受信した基地局の対応機能とその表示方法とを登録するときの動作制御について、図２に示すフローチャートを参照して説明する。
【００２３】
使用者が、携帯電話機１の操作入力部４の図示しない設定キーを操作して、登録モードに設定した後、操作入力部４を操作して、基地局の機能に対応したバックライト１０の色を設定していく。すなわち、基地局がデータ通信不可である場合（ステップＳ１）には、バックライト１０の色を赤色に設定し（ステップＳ２）、次に３２Ｋデータの通信が可能である場合（ステップＳ３）には、バックライト１０の色を黄色に設定し（ステップＳ４）、次に６４Ｋデータの通信が可能である場合（ステップＳ５）には、バックライト１０の色を緑色に設定し（ステップＳ６）、次に１２８Ｋデータの通信が可能である場合（ステップＳ７）には、バックライト１０の色を青色に設定する（ステップＳ８）。これらの設定データを、記憶部５に記憶する。
【００２４】
次に、上記のように設定された状態において、携帯電話機１が新しく基地局を受信したときの動作制御を、図３に示すフローチャートを参照して説明する。
【００２５】
携帯電話機１が新しく基地局の報知情報を受信したとき、その基地局がどのデータ通信に対応しているのかを、受信した報知情報データから解析する（ステップＳ２１）。すなわち、受信した報知情報データと、記憶部５に記憶した設定データとを比較して解析を行う。その結果、新たに受信した基地局が、データ通信を行えない基地局であった場合には、制御部６は表示部７を制御して、バックライト１０の色を赤色にする（ステップＳ１２，Ｓ１３）。また、新たに受信した基地局が、３２Ｋデータの通信が可能な基地局であった場合には、制御部６は表示部７を制御して、バックライト１０の色を黄色にする（ステップＳ１４，Ｓ１５）。また、新たに受信した基地局が、６４Ｋデータの通信が可能な基地局であった場合には、制御部６は表示部７を制御して、バックライト１０の色を緑色にする（ステップＳ１６，Ｓ１７）。また、新たに受信した基地局が、１２８Ｋデータの通信が可能な基地局であった場合には、制御部６は表示部７を制御して、バックライト１０の色を青色にする（ステップＳ１８，Ｓ１９）。
【００２６】
【実施例２】
次に、一斉呼び出しエリアが変わったときを使用者に通知する場合の実施例について説明する。
【００２７】
図４は、携帯電話機１の受信基地局が変わったときの設定動作例を示す説明図である。この設定動作の内容は、記憶部５に記憶される。
【００２８】
図４に示す設定動作例１は、携帯電話機１が新しく受信した基地局が前に受信していた基地局と同一の一斉呼び出しエリアの基地局（以下、一斉呼び出しエリア内移動という）である場合には、何もせずに無音とし、新しく受信した基地局が前に受信していた基地局とは別の一斉呼び出しエリアの基地局（以下、一斉呼び出しエリア間移動という）である場合には、「ピーピーピー」という音を５秒間鳴動させるように設定している。また、設定動作例２は、一斉呼び出しエリア内移動の場合には、何もせずに無音とし、一斉呼び出しエリア間移動の場合には、バックライト１０を５秒間点灯するように設定している。
【００２９】
図５は、各基地局のエリアと、多数の基地局が集まった一斉呼び出しエリアとを示しており、各基地局のエリア内に同じ模様を付することによって、それらが同一の一斉呼び出しエリアであることを示している。図５に示す例では、エリア１、エリア２、エリア４、エリア５の４つの基地局が同一の一斉呼び出しエリアとなっており、エリア６、エリア７の基地局が図示しない隣接する他の基地局も含めて別の同一の一斉呼び出しエリアとなっており、エリア３が図示しない隣接する他の基地局も含めてさらに別の一斉呼び出しエリアとなっている。
【００３０】
従って、携帯電話機１が図４に示す設定動作例１に設定されている場合において、携帯電話機１の使用者がエリア１からエリア２に移動した場合には、何も鳴動しない。その後、エリア２からエリア７に移動した場合には、別の一斉呼び出しエリアに移動しているので、この場合には、「ピーピーピー」という音を５秒間鳴動させて、使用者に一斉呼び出しエリアが変わったことを知らせるようになっている。
【００３１】
また、携帯電話機１が図４に示す設定動作例２に設定されている場合において、携帯電話機１の使用者がエリア１からエリア２に移動した場合には、何も鳴動しない。その後、エリア２からエリア７に移動した場合には、別の一斉呼び出しエリアに移動しているので、この場合にはバックライト１０を５秒間点灯して、使用者に一斉呼び出しエリアが変わったことを知らせるようになっている。
【００３２】
【実施例３】
次に、受信している基地局の基地局番号（ＣＳＩＤ）によって表示を切り換える場合の実施例について説明する。
【００３３】
図６は、基地局の基地局番号（ＣＳＩＤ）によって表示を切り換える場合の設定動作例を示す説明図である。この設定動作の内容は、記憶部５に記憶される。
【００３４】
図６に示す設定動作例は、携帯電話機１の受信している基地局のＣＳＩＤが偶数のときにはＬＥＤ１１を赤色に設定し、携帯電話機１の受信している基地局のＣＳＩＤが奇数のときにはＬＥＤ１１を青色に設定している。
【００３５】
従って、携帯電話機１の使用者が、図５に示すように、ＣＳＩＤが奇数であるエリア１から、ＣＳＩＤが偶数であるエリア２に移動した場合には、ＬＥＤ１１が青色から赤色に変化する。また、ＣＳＩＤが偶数であるエリア２からＣＳＩＤが奇数であるエリア７に移動すると、ＬＥＤ１１が赤色から青色に変化する。これにより、使用者にＣＳＩＤが偶数から奇数の基地局に、また奇数から偶数の基地局に変わったことを知らせることができる。
【００３６】
【実施例４】
次に、通信中の通信チャンネルによって表示部７の色を変える場合の実施例にについて説明する。
【００３７】
図７は、通信中の通信チャンネルによって表示部７の色を変える場合の設定動作例を示す説明図である。この設定動作の内容は、記憶部５に記憶されている。
【００３８】
図７に示す設定動作例は、携帯電話機１の通信しているチャンネルが偶数チャンネルのときには、表示部（ＬＣＤ）７に表示されている「通話中」の文字を赤色に設定し、携帯電話機１の通信しているチャンネルが奇数チャンネルのときには、表示部（ＬＣＤ）７に表示されている「通話中」の文字を青色に設定している。
【００３９】
従って、携帯電話機１の通信しているチャンネルが例えば３０ＣＨである場合には、表示部（ＬＣＤ）７の「通話中」の文字は赤色となっている。この後、ハンドオーバやＴＣＨ切り換えで通信チャンネルが３１ＣＨになると、表示部（ＬＣＤ）７の「通話中」の文字が赤色から青色に変わる。これにより、使用者に通信チャンネルが偶数チャンネルから奇数チャンネルに切り換わったことを知らせることができる。
【００４０】
【実施例５】
次に、通信中のスロット番号によって表示部７の表示を変化させる場合の実施例について説明する。
【００４１】
図８は、通信中のスロット番号によって表示部７の表示を変化させる場合の設定動作例を示す説明図である。この設定動作の内容は、記憶部５に記憶される。
【００４２】
図８に示す設定動作例は、通信中のスロット番号が１である場合には、表示部７に「１」を表示し、通信中のスロット番号が２である場合には、表示部７に「２」を表示し、通信中のスロット番号が３である場合には、表示部７に「３」を表示し、通信中のスロット番号が４である場合には、表示部７に「４」を表示するように設定されている。
【００４３】
従って、携帯電話機１の使用者が、スロット番号２を使用して通信している場合には、表示部７に「２」が表示されている。この後、ハンドオーバやＴＣＨ切り換えで通信中のスロットがスロット番号３になると、表示部７に「３」が表示されることになる。これにより、使用者に通信中の使用スロットが２番から３番に切り換わったことを知らせることができる。
【００４４】
【発明の効果】
本発明の移動体通信端末装置によれば、基地局の対応している機能ごとに表示や音などを設定しておくことにより、移動体通信端末装置が受信している基地局が、使用者の行おうとしているサービスをサポートしているか否かを、使用者に事前に知らせることができる。そのため、サポートしている基地局を探し出すことが容易となる。また、通信中に使用しているキャリアやスロット、また、待ち受け中の基地局が変わったことを、使用者に確実に知らせることができる。
【図面の簡単な説明】
【図１】本発明の移動体通信端末装置１の内部構成を示すブロック図である。
【図２】受信した基地局の対応機能とその表示方法とを登録するときの動作制御を説明するためのフローチャートである。
【図３】移動体通信端末装置が新しく基地局を受信したときの動作制御を説明するためのフローチャートである。
【図４】受信基地局が変わったときの設定動作例を示す説明図である。
【図５】各基地局のエリアと、多数の基地局が集まった一斉呼び出しエリアとを示す説明図である。
【図６】基地局の基地局番号（ＣＳＩＤ）によって表示を切り換える場合の設定動作例を示す説明図である。
【図７】通信中の通信チャンネルによって表示部７の色を変える場合の設定動作例を示す説明図である。
【図８】通信中のスロット番号によって表示部７の表示を変化させる場合の設定動作例を示す説明図である。
【符号の説明】
１  携帯電話機（移動体通信端末装置）
２  アンテナ
３  無線部
４  操作入力部
５  記憶部
６  制御部（請求項に記載の切換手段を含む）
７  表示部
８  スピーカ
９  リンガー回路
１０  バックライト
１１  ＬＥＤ
【図１】
0003673143.tif 000002
【図２】
0003673143.tif 000003
【図３】
0003673143.tif 000004
【図４】
0003673143.tif 000005
【図５】
0003673143.tif 000006
【図６】
0003673143.tif 000007
【図７】
0003673143.tif 000008
【図８】
0003673143.tif 000009